(57)【要約】アンカー・ロッドまたはアンカー・ロープの大変形引張力を試験するための大変形引張力試験システムであって、メインフレーム（１）と、前記メインフレーム（１）の縦方向の第１の位置に設けられる後チャック・アセンブリ（２）と、前記メインフレーム（１）の縦方向の第２の位置に、移動可能に設けられる前チャック・アセンブリ（３）と、引張装置（４）と、センサーモジュール、制御モジュール、解析モジュールおよび出力モジュールを有する測定制御装置と、を備え、センサーモジュールは引張装置の変位およびリアルタイム引張力を検知し、リアルタイムデータを形成して、解析モジュールおよび制御モジュールに伝送し、制御モジュールは所定の制御モードおよびセンサーモジュールの入力に従って、試験プロセスが所定の試験条件の下で行われるように制御し、解析モジュールはンサーモジュールの入力を解析して試験結果を形成し、出力モジュールにより出力する、大変形引張力試験システム。当該大変形引張力試験システムは、アンカー・ロッドまたはアンカー・ロープの静力学的パラメータを測定し得ることができる。
2015513098.tif 000002
【特許請求の範囲】
【請求項１】
アンカー・ロッドまたはアンカー・ロープの大変形引張力を試験するための大変形引張力試験システムであって、
メインフレームと、
前記メインフレームの縦方向の第１の位置に設けられる後チャック・アセンブリと、
前記メインフレームの縦方向の第２の位置に、移動可能に設けられる前チャック・アセンブリと、
前記メインフレームの一端に接近して設けられ、前記の前チャック・アセンブリに接続されて、所定の制御モードに従って前記の後チャック・アセンブリと前記の前チャック・アセンブリとの間に挟み込まれるサンプルを引っ張るための引張装置と、
センサーモジュール、制御モジュール、解析モジュールおよび出力モジュールを有する測定制御装置とを備え、
前記センサーモジュールは前記引張装置に接続されて、前記引張装置のリアルタイム変位および引張装置の前記サンプルに対するリアルタイム引張力を検知し、リアルタイム変位データおよびリアルタイム引張力データを形成して、解析モジュールおよび制御モジュールに伝送し、
前記制御モジュールは所定の制御モードおよび前記センサーモジュールの入力に従って、試験プロセスが所定の試験条件の下で行われるように制御し、
前記解析モジュールは前記センサーモジュールの入力を解析して試験結果を形成し、出力モジュールにより出力する、
ことを特徴とする大変形引張力試験システム。
【請求項２】
前記引張装置は、ピストン型油圧シリンダにより前記サンプルを引っ張り、前記試料を挟持するための、前記の前チャック・アセンブリおよび前記の後チャック・アセンブリにおけるチャックは液圧チャックであることを特徴とする請求項１に記載の大変形引張力試験システム。
【請求項３】
前記センサーモジュールは、変形を測定するための大変形引張計、および前記ピストン型油圧シリンダの変位を測定するための巻き線式エンコーダとを備えることを特徴とする請求項１または２に記載の大変形引張力試験システム。
【請求項４】
前記の後チャック・アセンブリおよび前記の前チャック・アセンブリは、いずれも、異なる試料に適応するための複数セットのチャックを備えることを特徴とする請求項２に記載の大変形引張力試験システム。  
【請求項５】
前記メインフレームは、平行に設置され、且つ断面がＵ字形である２つのスロット型縦梁を含み、２つの前記スロット型縦梁のＵ字形の開口は対向しており、
前記引張装置は、連結車と、１対の親ネジと前記ピストン型油圧シリンダとを含み、前記１対の親ネジは、前記の前チャック・アセンブリと前記連結車の連結板との間に設けられ、前記ピストン型油圧シリンダのシリンダは、前記メインフレームの一端に固定して接続され、前記ピストン型油圧シリンダのシリンダロッドは前記連結板に接続され、前記シリンダロッドは、前記メインフレームより遠く離れる方向へ伸ばすことを特徴とする請求項２に記載の大変形引張力試験システム。
【請求項６】
前記スロット型縦梁の上翼板と下翼板の上に、前記の後チャック・アセンブリを固定するための複数の貫通孔が、均一に設けられていることを特徴とする請求項５に記載の大変形引張力試験システム。
【請求項７】
前記連結車の底端に転輪が設けられ、前記転輪が転がるための軌道が、前記メインフレームと縦方向に平行するように設けられることを特徴とする請求項６に記載の大変形引張力試験システム。
【請求項８】
さらに、前記メインフレームの上方を覆うように安全防護ネットが設けられていることを特徴とする請求項１に記載の大変形引張力試験システム。
【請求項９】
前記の測定制御装置は、さらに、作業台を備え、前記作業台上に制御ボタンおよび前記試験結果を表示するための表示スクリーンが配置されることを特徴とする請求項１記載の大変形引張力試験システム。
【請求項１０】
前記ピストン型油圧シリンダの後端の表面に第１の敷板が設けられ、前記の前チャック・アセンブリの前端の表面に第２の敷板が設けられ、試料を前記第１の敷板と前記第２の敷板との間に配置して圧縮試験を行うことを特徴とする請求項１記載の大変形引張力試験システム。
【発明の詳細な説明】
【技術分野】
【０００１】
本発明は、大変形引張力試験機に関し、特に、定抵抗の大変形アンカー・ロッド（アンカー・ロープ）、およびその他の通常のアンカー・ロッド（アンカー・ロープ）の静力学的性能を室内で検討するための大変形引張力試験システムに関するものである。
【背景技術】
【０００２】
近年、国民経済の急速な発展に伴い、各の業界において、エネルギー源への需要は年々増えている。現在、中国の露天掘り鉱山は、既に、深部採掘の段階に入っており、鉱山、水利、交通などの分野において、多くの斜面（スロープ）、活断層、洞窟周辺岩盤の安定性問題に繋がっている。
【０００３】
現在、中国は、様々な工事や建設が急速な発展の時期に入っており、鉱物資源の採掘および地下工事の建設の過程において、例えば、岩ハネ、地圧衝撃（ショック・バンプ）、地滑りなどの多くの災害が発生した。高い急斜面や坑道周辺岩盤の安定性において発生した自然災害および工事災害の制御については、主に伝統的なプレストレス・アンカー・ロッド（アンカー・ロープ）補強システムおよびその派生した保持構造の工事に依存している。ところが、大部分の岩土壌体の構造的な不安定性は、弾塑性大変形に繋がる問題であるため、従来のプレストレスト・アンカー・ロッド（アンカー・ロープ）システムに基づく支援（ｓｕｐｐｏｒｔｉｎｇ）、および補強という概念は、もうすでに岩土壌体（斜面（スロープ）岩盤、トンネル周辺岩盤）の大変形の進化規律に適応することができず、坑道の支援過程において一部のアンカー・ロッドの端部の崩壊、アンカー・ロープ（ロッド）の中部の崩壊、支援区域への複数回の修復、鉄骨フレームの捻り変形・破壊・失効などの故障を生じてしまう。
【０００４】
上記の問題に対応して、「柔よく剛を制す」、「柔と剛とが相乗する」という哲学思想の観点から、何満潮教授は、定抵抗大変形の新規材料の設計構想を提出し、且つ、新規アンカー・ロッド、すなわち、定抵抗大変形の材料を開発し（例えば、公開番号がＣＮ１０１８５８２２５Ａである中国発明特許に開示された定抵抗大変形アンカー・ロッドを参照）、これに基づいて斜面の補強、地すべりおよび地震災害の監視と早期警報、地下工事の支援にかかる一連の制御理念および技術的機器システムを形成して、岩盤工事における大変形問題を解決するために、優れた探索モードを提供した。
【０００５】
定抵抗大変形アンカー・ロッド（アンカー・ロープ）の研究・開発の上、定抵抗の大変形アンカー・ロッド（アンカー・ロープ）の機械的特性について、さらに系統的に試験・検討し、且つ、その機械的特性を同じ実験条件の下で通常の変形アンカー・ロッド（アンカー・ロープ）と比べるために、大変形引張力試験システムが必要となり、実験を通じて、定抵抗大変形アンカー・ロープを含む測定しようとするアンカー・ロッド（アンカー・ロープ）の静力学パラメータを得て、力と変位、力と変形、力と時間などの関する実験曲線を描画すると共に、計算および関する測定により、軟岩大変形、衝撃（岩ハネ）大変形、突出大変形、地すべり大変形、地震断層大変形に対してよりよい支援を提供することが期待されている。
【先行技術文献】
【特許文献】
【０００６】
【特許文献１】中国特許出願公開第２５６７５５７号明細書
【発明の概要】
【発明が解決しようとする課題】
【０００７】
従来技術に存在する問題に鑑みて、本発明は、アンカー・ロッドまたはアンカー・ロープの大変形引張力を、正確に効率よく試験することができる大変形引張力試験システムを提供することを目的とする。
【課題を解決するための手段】
【０００８】
本発明は、次の技術案によって達成される。
【０００９】
アンカー・ロッドまたはアンカー・ロープの大変形引張力を試験するための大変形引張力試験システムであって、メインフレームと、前記メインフレームの縦方向の第１の位置に設けられた後チャック・アセンブリと、前記メインフレームの縦方向の第２の位置に、移動可能に設けられた前チャック・アセンブリと、前記メインフレームの一端に接近して設けられ、前記の前チャック・アセンブリに接続されて、所定の制御モードに従って前記の後チャック・アセンブリと前記の前チャック・アセンブリとの間に挟み込まれたサンプルを引っ張るための引張装置と、センサーモジュール、制御モジュール、解析モジュールおよび出力モジュールを有する測定制御装置とを備え、前記センサーモジュールは前記引張装置に接続されて、前記引張装置のリアルタイム変位および引張装置の前記サンプルに対するリアルタイム引張力を検知し、リアルタイム変位データおよびリアルタイム引張力データを形成して、解析モジュールおよび制御モジュールに伝送し、前記制御モジュールは所定の制御モードおよび前記センサーモジュールの入力に従って、試験プロセスが所定の試験条件の下で行われるように制御し、前記解析モジュールは前記センサーモジュールの入力を解析して試験結果を形成し、出力モジュールにより出力することを特徴とする大変形引張力試験システム。
【発明の効果】
【００１０】
本発明の大変形引張力試験システムによれば、定抵抗大変形アンカー・ロッドを含む各類のアンカー・ロッド、およびアンカー・ロープの静力学パラメータを、正確で且つ効率的に得ることができ、力と変位、力と変形、力と時間などの関する実験曲線を描画することができると共に、計算および関する測定により、半径方向および長さ方向における研究を行うことができて、軟岩大変形、衝撃（岩ハネ）大変形、突出大変形、地すべり大変形、地震断層大変形に対してよりよい支援を提供することができる。
【００１１】
さらに、本発明に係る大変形引張試験システムによれば、異なる制御モードを用いて各種のアンカー・ロッド（アンカー・ロープ）の様々な形態の力学性能の試験を達成することが可能であり、且つ省エネルギー、環境に優しい利点を有し、より高い安全性を確保することができる。
【図面の簡単な説明】
【００１２】
【図１】本発明の実施例に係る大変形引張力試験システムを模式的に示す平面図である。
【図２】本発明の実施例に係る大変形引張力試験システムを模式的に示す正面図である。
【図３】本発明に係る大変形引張力試験システムの引張装置の試験グラフである。
【図４】本発明に係る大変形引張力試験システムの引張装置の試験グラフである。
【図５】本発明に係る大変形引張力試験システムの引張装置の試験グラフである。
【発明を実施するための形態】
【００１３】
以下、本発明の特徴および利点を具現化した好適な実施例について、本発明を詳しく説明する。本発明は、異なる実施例において様々な変化を有することができ、これらの変化は、本発明の範囲から逸脱することでなく、且つ、その説明および添付した図面は、本質的には例示として用いられ、本発明を限定するものではないことを理解すべきである。
【００１４】
図１および図２に示すように、本発明の実施例に係る大変形引張力試験システムは、その機能によって５つの部分、即ち、メインフレーム１、前チャック・アセンブリ３、後チャック・アセンブリ２、引張装置４、測定制御装置（図示せず）に分けることができる。以下、上記の５つの部分をそれぞれ紹介する。
【００１５】
１．メインフレーム
本発明の大変形引張力試験システムにおいて、メインフレーム１は、水平フレーム構造を採用し、いずれも、高品質の鋼材で作られて、その材料の特性が安定しており、圧縮性能に優れ、外観が整然と美しくなっている。
【００１６】
引張装置４は、メインフレーム１の一端に設けられる。本明細書では、説明の便宜上に、メインフレーム１について、引張装置４が設けられた側の一端を前端とし、逆にその他の一端を後端としている。その他の部品の前後関係についても、これを基準としている。
【００１７】
図１および図２に示すように、メインフレーム１は、２つの平行に設置された、断面がＵ字形であるスロット型縦梁１３、１４を備え、スロット型縦梁１３、１４のＵ字形の開口部が対向している。スロット型縦梁１３、１４の下方は、前支え座１５、および複数の後支え座１６により支持される。ここで、前支え座１５の上に支持されているのが引張装置４のピストン型油圧シリンダ４１であるため、前支え座１５の縦方向長さは、後支え座１６よりも大きくなされている。
【００１８】
試験の安全性を確保し、試料が突然に断ち切られるなどによる損害を防ぐために、スロット型縦梁１３、１４の上翼板の上表面の間には、スロット型縦梁１３およびスロット型縦梁１４にまたがって覆うように、安全防護ネットを設けてもよい。また、当該安全防護ネットを容易に移動させるために、スロット型縦梁１３、１４の上表面に軌道を設け、安全防護ネットの底端にガイドホイールを設けて、当該軌道上で当該安全防護ネットを推進してもよい。
【００１９】
２．前チャック・アセンブリおよび後チャック・アセンブリ
図１および図２に示すように、前チャック・アセンブリ３と後チャック・アセンブリ２とは、対向して設けられ、同一形状であってもよい。また、前チャック・アセンブリ３および後チャック・アセンブリ２を容易に移動させるために、前チャック・アセンブリ３および後チャック・アセンブリ２のチャック３０、２０は、それぞれ横梁３１、２１上に設けられ、横梁３１、２１の両端は、それぞれスロット型縦梁１３、１４の下翼板の上表面に支持される。横梁３１、２１を容易に移動させるために、横梁３１、２１の下翼板の上表面にガイドホイールを設けてもよい。
【００２０】
相違点と言えば、試験の過程において、前チャック・アセンブリ３は移動を必要とするが、後チャック・アセンブリ２は固定されて移動しないことにある。試験の前に、前チャック・アセンブリ３は、ピストン型油圧シリンダ４１に接続される必要があるため、固定されて移動しないようにされている。後チャック・アセンブリ２は、異なる長さの試料を挟持することができるように、スロット型縦梁１３、１４の上翼板および下翼板には、後チャック・アセンブリ２を固定するための複数の貫通孔１２が設けられ、固定する場合、貫通孔１２の直径とマッチングされた親ネジを用いて、スロット型縦梁１３、１４の上翼板の貫通孔１２、横梁２１上の貫通孔、スロット型縦梁１３、１４の下翼板の貫通孔１２を、上から下に通り抜け、前記親ネジには固定ピンが貫通して設けられ、これにより、後チャック・アセンブリ２を固定する。前チャック・アセンブリ３も、後チャック・アセンブリ２と同じ固定形態により固定されてもよい。
【００２１】
異なる長さの試料に加えて、本発明の実施例の大変形引張力試験システムの汎用性を向上させるために、後チャック・アセンブリ２および前チャック・アセンブリ３は、いずれも、異なる試料に適応する複数セットのチャック（治具）を備え、これにより試料の異なる直径および形状に対応してもよい。チャックとしては、Ｖ型チャック、平型チャック、鋼より線専用のチャック、アンカー・ロッド専用のスリーブチャックなどが挙げられ、アンカー・ロッド（アンカー・ロープ）、鋼より線、板材、棒材など様々な材料の引張試験に用いられ、そのため、本発明の大変形引張力試験システムは、汎用性の高い試験設備であると言える。
【００２２】
さらに、本発明の大変形引張力試験システムは、試料圧縮時の静力学的性能の試験に用いられることができ、この場合、横梁３１の前端の表面に敷板４８を設け、ピストン型油圧シリンダ４１の後端の表面に敷板４７を設け、圧縮しようとする試料を、敷板４７と敷板４８との間に配置した後、油圧シリンダピストン４１を起動して、試料を圧縮することができる。
【００２３】
チャック・アセンブリ２、３は、いずれも、高品質の鋼材鍛造品から製造され、内蔵されたチャック２０、３０は、液圧により駆動する液圧チャックであってもよく、手動のプッシュスイッチボックスで制御することができで、試料を容易に挟持でき、作業効率を向上した。
【００２４】
３．引張装置
図１および図２に示すように、引張装置４は、連結車４３と、１対の親ネジ４２と、ピストン型油圧シリンダ４１とを備え、親ネジ４２は、前チャック・アセンブリ３の横梁３１の両側と、連結車４３の連結板４３０との間に固定接続され、２つの親ネジ４２は、ピストン型油圧シリンダ４１を介して左右対称されている。また、ピストン型油圧シリンダ４１のシリンダは、メインフレーム１の前端に固定接続され、ピストン型油圧シリンダ４１のシリンダロッドは、連結板４３０に固定接続され、シリンダロッドは、メインフレーム１から遠く離れる方向へ伸ばすようになっている。連結車４３上にはギア減速機ユニットが設けられ、当該ギア減速機ユニットは、電機４８を備え、親ネジのストロークを自動的に調整することができで、引張試験が便利になっている。後チャック・アセンブリ２の位置調整については、貫通孔１２の間隔が固定されているため、前チャック・アセンブリ２と後チャック・アセンブリ３との間の距離への微調整ができないが、ギア減速機ユニット４８が横梁３１の位置への微調整を行うことができるため、親ネジストロークへの微調整が可能になり、より多くの試料に適応することができる。
【００２５】
引張装置４は、所定の制御モードに応じて、親ネジ４２の伝動により、後チャック・アセンブリ２と前チャック・アセンブリ３との間に挟持された試料を引っ張る。ピストン型油圧シリンダ４１の引張り力は、所定の制御モードにより制御され、当該制御モードは、所望の試験項目に関連している。  
【００２６】
図２に示すように、連結車４３の底端に転輪４６が設けられ、転輪４６は、メインフレーム１と縦方向に平行に設けられた軌道４０上で転がることができる。
【００２７】
ピストン型油圧シリンダ４１のシリンダロッドが外界からの影響を受けずに、よく作動できるために、メインフレーム１の前端に、ピストン型油圧シリンダ４１のシリンダロッドを覆う立方体形のケーシング４４を設けてもよい。且つ、ピストン型油圧シリンダ４１のシリンダロッドと、連結車４３の連結板４３０との間に、伸縮可能な防塵カバー４５をさらに装着することができ、当該防塵カバー４５は、シリンダロッドの伸縮に伴って伸長または短縮することができる。
【００２８】
本発明の実施例に係る大変形引張力試験システムにおいて、ピストン型油圧シリンダ４１を主作動油圧シリンダと称することができ、前チャックアセンブリ３と後チャックアセンブリ２において、試料を挟持することに動力を提供するための補助油圧シリンダを備えてもよい。ピストン型油圧シリンダ４１は、設備全体の核心部品であり、鍛造品から製造され、優れた品質特性を有している。ピストン型油圧シリンダ４１のピストンは、内静圧軸受け機構を採用することができ、浮遊ピストンの効果を果たす。また、試料が破裂する時にピストン型油圧シリンダ４１に衝撃を与えることを防止して、部品の破損を避けるために、ピストン型油圧シリンダ４１の油圧シリンダ内部に液圧緩衝装置を備えることができる。また、人為的な障害を避けるために、引張装置４は、力値超限保護、圧力超限保護、変位超限保護、過電流・過電圧保護、位置制限保護などを採用してもよい。
【００２９】
ピストン型油圧シリンダ４１の液圧源は、サーボ液圧源であってもよく、サーボ液圧源から排出した油圧オイルは、オイルフィルタを経て分配器に入る。分配器に入った油は、サーボ比例弁を介して主作動油圧シリンダの試験力の制御に用いられ、油液の圧力がオーバーフロー弁の設定圧力に達した場合、余分の油は、オーバーフロー弁からオーバーフローした後、油タンクに戻る。システムの圧力は、圧力計で随時に観察することができる。試料を確実に挟持するために、独立した補助オイルポンプを用いて液圧チャックを制御し、主作動油圧シリンダの作動とは互いに干渉しない。
【００３０】
サーボ液圧源の油タンクとして、密閉型油タンクを用い、これにより二次汚染を避けることができる。システムにおいてオイルフィルタを用いることができ、油液中の不純物を濾過するために、濾過精度を１０μｍにする。長期間使用した場合、オイルフィルタには、不純物が大量存在するため詰まってしまい、このため、具体的な状況に応じて、オイルフィルターカートリッジを交換して、油路システムの清潔を確保し、各の液圧素子の寿命を向上させる。同時に、空気冷却器が設けられ、所定の温度を越えた場合、自動的に起動して、油の温度の上昇を制限し、液圧システムを常に最適な状態に確保する。
【００３１】
引張装置４の閉ループ制御は、サーボ比例弁を用いることができ、制御器の電圧信号を変更することにより、高周波数応答サーボ比例弁を通過する油量および方向を変更して、ピストン型油圧シリンダ４１に対する等試験力（等変位（ｅｑｕａｌ  ｄｉｓｐｌａｃｅｍｅｎｔ））のローディング、試験力（変位）の維持、等試験力（等変位）のアンロードの制御を図ることができで、異なる試験項目を完成することが可能である。以上の機能は、真の閉ループ制御であり、外界環境からの影響を受けず、試験の正確度を確保するものである。且つ、高周波数応答サーボ比例弁は、耐汚染性が強く、システムの安定性が大幅に向上される。
【００３２】
サーボ液圧源には、荷重敏感システムを設けてもよく、これにより高圧システムが低圧の下で作動する時のポンプの輸出圧力と荷重圧力とをマッチングを確保して、両者の差値は、スロットル弁の開口部の圧力差のみの約１ＭＰａになる。過剰の油圧オイルは、いずれも、荷重圧力より１ＭＰａ高い条件の下で、荷重敏感弁を経て油タンクに戻って、高圧でオーバーフローすることによるパワーロスを低減すると共に、システムの発熱と、システムの雑音も低減して、省エネルギーの目的に達する。且つ、発熱が低いため、液圧部品の寿命を向上させ、システムの漏れを低減して、システム安定性を大幅に向上させる。
【００３３】
本発明の大変形引張力試験システムにおいて、その引張装置４の、試料に対する最大試験力は５００ｋＮに達することが可能であり、且つ、試験力に等級がつけられず、無段階変速になっている。油圧シリンダピストン４１のストロークは、１２００ｍｍに達し、親ネジ（親ネジ４２）のストロークは０〜１０００ｍｍの範囲であり、試料を０〜１１００ｍｍ引っ張ることができる。
【００３４】
４．測定制御装置
測定制御装置は、センサーモジュール、制御モジュール、解析モジュール、および出力モジュールに細分することができる。
【００３５】
センサーモジュールは、引張装置４に接続されて、引張装置４中のシリンダロッドのリアルタイム変位、および引張装置の前記試料に対するリアルタイム引張力を検知し、リアルタイム変位データ、およびリアルタイム引張力データをを形成して、制御モジュールに送信して制御を行い、且つ、解析モジュールに送信して解析を行って、試験結果を形成する。
【００３６】
制御モジュールは、試験プロセスが順調に運行されるように制御するものである。制御モジュールは、作業台、電気制御キャビネット、および手持ち式制御カートリッジを備えることができる。制御モジュールの殆どの部品は、１つの作業台に設けられてもよく、前記作業台上には、前記試験を制御するためのボタン、および前記試験結果を表示するための表示スクリーンが設けられる。作業台の側面には、総電源スイッチなどを設けることができ、作業台の台面上には制御キャビネットを載置することができる。また、当該制御キャビネットのパネル上に、ピストン型油圧シリンダ４１の急停止を制御するための急停止プッシュボタン、ピストン型油圧シリンダ４１の起動／停止を制御するためのプッシュボタン、補助オイルポンプの起動／停止を制御するためのプッシュボタン、温度管理計などを備えて、操作が非常に便利である。また、作業台内には、コンピュータを設けることができ、コンピュータの表示デバイスを作業台の台面上に設けてもよく、コンピュータの表示により、試験の制御モードの選択を行い、解析結果などを出力することもできる。
【００３７】
本発明の大変形引張力試験システムは、試験を開始する前に、複数の試験制御モードを選択ことができ、試験過程において、夫々の制御速度および制御機能は、いずれも互いに切換えることができ、例えば、試験力の等速度制御（例えば、１分あたり５ＫＮの試験力を施す）、変位の等速度制御（例えば、１分あたり１ｍｍの変位）、定試験力、定変形、定変位速度などの様々な制御モードを選択して、試料の大変形引張力試験を行うことができる。
【００３８】
試験過程において、制御モジュールは、変位センサ、負荷センサ（圧力センサ）、および変形センサからフィードバックされたリアルタイムデータを受けることにより、試験条件へのリアルタイム制御を行い、これで試験要求を満足している。
【００３９】
試験プロセスの制御に加えて、制御モジュールの作用は、さらに液圧のチャック３０への制御を含み、手持ち式制御カートリッジ上のプッシュボタン・スイッチによりチャック３０の制御を行う。横梁の制御プッシュボタンは、ポイント／クリック式制御モードを採用し、顎板（鉗口）の挟持および弛緩は自動ロックするプッシュボタンであり、ここで、押すと作動態様になり、放すと停止態様になる。
【００４０】
電気制御キャビネットは、本発明の大変形引張力試験システムの電気回路への総制御を行うためのものである。電気制御キャビネットは、単独してメインフレーム１と作業台との間に載置することができる。
【００４１】
通常、解析モジュールは作業台内のコンピュータデータ解析プログラムにより完成され、試験要求に応じて収集したデータを、本技術分野の共用の解析方法で解析を行い、さらに試験結果を得て出力モジュールにより出力する。
【００４２】
出力モジュールからの出力は、主に２つの面を含み、その１つは試験結果の出力であり、もう１つは試験中間データの出力である。試験結果は、表示デバイスにより出力し、且つ、試験データはコンピュータのハードディスクに記憶されてもよく、外付けの表示スクリーンにより出力してもい。試験中間データについて、コンピュータの表示デバイスおよび外付けの表示スクリーンでリアルタイム出力する。
【００４３】
コンピュータ制御を用いることにより、ほとんどすべての操作が、いずれも中国語仮想パネル上で行われ、直感的で操作しやすく、容易に試験パラメータの設置、試験の制御、データの解析および処理を完成することができる。また、スクリーンを用いて、試験プロセス、および力−時間の曲線、力-変位、力-変形の曲線などを、リアルタイムに表示する。且つ、プリンターを用いて試験報告および曲線を印刷する。
【００４４】
制御モジュールは、コンピュータにより試験プロセスの自動制御を完成することができると共に、コンピュータにより手動的に制御することができる。
【００４５】
次に、本発明に係る大変形引張力試験システムの具体的な操作ステップを簡単に紹介する。
１）作業台中のコンピュータを起動する、
２）制御部の起動：油源を点検し、総電源スイッチをオンにし、補助オイルポンプの起動プッシュボタンを押す、
３）チャック３０、２０を装着し（装着する場合に、補助オイルポンプの静止状態を確認する必要がある）、試料を挟持し、ここで、試料の挟持される部分が、チャック２０、３０の１／２の位置を越えなければいけなく、
４）安全防護ネットを試料の直上方の位置まで押す、
５）制御モジュールにおける相応する制御ソフトウェアを開き、１つの試験項目を新たに作成し、試験制御モードに関連する選択肢の情報を入力する、
６）試験を行う。試験の時に、試料は、チャック３０とチャック２０との間に挟持され、チャック２０の位置は固定されて移動しないが、チャック３０は、ピストン型油圧シリンダ４１に連れての作用の下で、図１の左側へ移動する。ピストン型油圧シリンダ４１のシリンダロッドは、左側へ伸ばし、連結車４３を動かして移動させ、連結車４３は、親ネジ４２を動かして左側へ移動させることで、横梁３１を左側へ移動させ、これにより、チャック２０とチャック３０との間に挟持された試料はに大変形引張力を施し、検知装置は、巻き線式エンコーダにより、ピストン型油圧シリンダ４１のシリンダロッドのリアルタイム変位を検知し、検知装置における大変形引張計により、試料の変形を検知する。
試験を終了した後、作業台上のストップキーを押し、且つ、試験データを保存する、
７）試料を取り出し、ピストンシリンダ４１を返す、
８）電源をオフする。
【００４６】
本発明の大変形引張力試験システムによれば、アンカー・ロッド（アンカー・ロープ）に対して、例えば、アンカー・ロッドの基本的な性能の試験、臨時のアンカー・ロッドクリープ試験、永久のアンカー・ロッドクリープ試験、アンカー・ロッド弛緩試験、アンカー・ロッド引張試験などの様々な試験を行うことができる。試験結果は、次のように例を挙げて説明する。
【００４７】
図３は、臨時のアンカー・ロッドクリープ試験の試験グラフ（力−時間曲線）であり、当該試験において、軸方向設計値６０ｋＮを入力し、試験のかかる時間の合計で５．２５時間である。図３において、縦軸上における力の単位はｋＮであり、横軸上における時間の単位は分（ｍｉｎ）である。当該試験曲線によれば、試料は、９０ｋＮ以下の引張力下でその静力学的性能を維持することができるが、引張力９０ｋＮで一定時間後に、試料上の定抵抗材料がアンカー・ロッドから外して試験が終了したことを示す。
【００４８】
図４は、永久のアンカー・ロッドクリープ試験の試験グラフ（力−時間曲線）であり、当該試験において、軸方向設計値６０ｋＮを入力し、試験のかかる時間の合計で５．２５時間である。図４において、縦軸上の力の単位はｋＮであり、横軸上の時間の単位は時間（ｈ）である。当該試験曲線によれば、試料は９０ｋＮ以下の引張力の下でその静力学的性能を維持することができるが、引張力９０ｋＮで一定時間後に、試料上の定抵抗材料がアンカー・ロッドから外して試験が終了したことを示す。
【００４９】
図５は、１つのアンカー・ロッド引張試験の試験グラフ（力−変位曲線）であり、当該試験において、制御モードは変位制御モードである。図５において、縦軸上の力の単位はｋＮであり、横軸上の変位の単位はミリメートル（ｍｍ）である。当該試験曲線によれば、９００ｍｍ以下の変位の場合、試料はその静力学的性能を維持することができるが、変位が９００ｍｍを越えた後に、試料上の定抵抗材料がアンカー・ロッドから外して試験が終了したことを示す。
【００５０】
以上、好適な実施例により、本発明の技術案を掲示した。当業者にとって、本発明の要旨を逸脱しない範囲内においてさまざまな変更及び改善を行い得る。かかる変更及び改善はすべて本発明の保護範囲に属することは、自明なことである。
【図１】
2015513098.tif 000003
【図２】
2015513098.tif 000004
【図３】
2015513098.tif 000005
【図４】
2015513098.tif 000006
【図５】
2015513098.tif 000007
【国際調査報告】
2015513098.tif 000008
2015513098.tif 000009
2015513098.tif 000010
2015513098.tif 000011
2015513098.tif 000012
2015513098.tif 000013
2015513098.tif 000014
2015513098.tif 000015